(57)【特許請求の範囲】
【請求項１】
遠赤外線を放射する天然石粉末を添加してなる動物用の飼料において、天然石粉末を酸化雰囲気で焼成されたカルシウム含有火成岩の微粉末である焼成火成岩微粉末としてなることを特徴とする動物用のアルカリ性の飼料。
【請求項２】
焼成火成岩微粉末の平均粒径が５０μｍ以下である請求項１に記載される動物用のアルカリ性の飼料。
【請求項３】
焼成火成岩微粉末の平均粒径が１０μｍ以下である請求項１に記載される動物用のアルカリ性の飼料。
【請求項４】
焼成火成岩微粉末の平均粒径が１μｍ以上である請求項１ないし３のいずれかに記載される動物用のアルカリ性の飼料。
【請求項５】
焼成火成岩微粉末の添加量が０．０１重量％以上であって５重量％以下である請求項１に記載される動物用のアルカリ性の飼料。
【請求項６】
焼成火成岩微粉末が石英長石の微粉末である請求項１に記載される動物用のアルカリ性の飼料。
【請求項７】
焼成火成岩微粉末が石英長石である流紋岩の微粉末である請求項６に記載される動物用のアルカリ性の飼料。
【発明の詳細な説明】
【技術分野】
【０００１】
本発明は、遠赤外線を放射する天然石粉末を含有すると共に、水に接触してアルカリ性を示す動物用の飼料に関し、とくに、ペット、牛等の家畜、鶏などの家禽、養殖魚介類などの動物に最適な飼料に関する。
【背景技術】
【０００２】
遠赤外線を放射する天然石粉末を添加している動物用の飼料は開発されている。（特許文献１）
【特許文献１】特開平１０−８４８８２号公報
【発明の開示】
【発明が解決しようとする課題】
【０００３】
特許文献１に記載される飼料は、遠赤外線を放射する天然石粉末として、石質隕石の粉末を添加している。この飼料は添加する石質隕石の粉末で、これを食べた動物の体内に遠赤外線を放射できる。ただ、この飼料は水に接触してアルカリ性を示すことがないので、動物の体内で胃酸を中和する作用はない。
本発明の第１の目的は、水に接触してアルカリ性を示し、動物の体内で胃酸を中和する作用のある動物用の飼料を提供することにある。
【０００４】
また、遠赤外線を放射する天然石粉末を添加している飼料は、天然石粉末の添加量を少なくして、遠赤外線による効果を向上することが大切である。それは、天然石粉末を添加して風味が変化すると、動物が好んで飼料を食べなくなるからである。また、天然石粉末は飼料よりもコストが高いので、添加量が多くなると飼料がコスト高になる欠点もある。とくに、遠赤外線の放射効率の高い天然石粉末は高価であることから、少ない添加量で遠赤外線の放射効率を高くすることが大切である。天然石粉末が単位面積に放射するエネルギーは、ステファン・ボルツマンの法則により、物質の絶対温度の４乗とステファン・ボルツマン定数の積に比例して大きくなる。重量を同じとする天然石粉末の表面積は、粒径に反比例して大きくなる。したがって、天然石粉末の粒径を半分にして表面積は２倍となり、粒径を１／１０と小さくして表面積を１０倍に大きくできる。このことから、飼料に添加する天然石粉末は、粒径を小さくして放射する遠赤外線のエネルギーを大きくできる。たとえば、添加重量を同じとして、粒径を１／１０に小さくすると、遠赤外線の放射エネルギーは１０倍に増加する。このことから、粒径を１／１０とする天然石粉末は、添加量を１／１０に減少して同じ遠赤外線の放射エネルギーとなる。
【０００５】
特許文献１に記載される石質隕石は、これを微細な粉末に微粉砕するのが難しく、添加量を少なくして遠赤外線の優れた効果を実現するのが難しい。すなわち、天然石粉末は添加量を多くして遠赤外線の放射エネルギーを大きくできるが、添加量を増加する飼料の風味が低下して、動物が好んで食べなくなる欠点がある。また、添加量を多くすることから天然石粉末のコストが高くなる欠点もある。さらに、飼料に添加する天然石粉末は、殺菌して添加するので殺菌処理に手間がかかって、この処理によっても製造コストが高くなる欠点がある。
【０００６】
本発明の第２の目的は、天然石粉末の添加量を少なくして遠赤外線による優れた効果を実現できる動物用の飼料を提供することにある。
また、本発明の第３の大切な目的は、天然石粉末を殺菌処理することなく飼料に添加して、細菌による弊害を皆無にできる飼料を提供することにある。
【課題を解決するための手段】
【０００７】
本発明の動物用のアルカリ性の飼料は、前述の目的を達成するために以下の構成を備える。
動物用のアルカリ性の飼料は、遠赤外線を放射する天然石粉末を添加している。動物用のアルカリ性の飼料は、天然石粉末を、酸化雰囲気で焼成されたカルシウム含有火成岩の微粉末である焼成火成岩微粉末としている。
【０００８】
本発明の請求項２の動物用のアルカリ性の飼料は、焼成火成岩微粉末の平均粒径を５０μｍ以下としている。さらに、本発明の請求項３の動物用のアルカリ性の飼料は、焼成火成岩微粉末の平均粒径を１０μｍ以下としている。
【０００９】
さらに、本発明の請求項４の動物用のアルカリ性の飼料は、焼成火成岩微粉末の平均粒径を１μｍ以上としている。
【００１０】
さらに、本発明の請求項５の動物用のアルカリ性の飼料は、焼成火成岩微粉末の添加量を０．０１重量％以上であって５重量％以下としている。
【００１１】
本発明の請求項６の動物用のアルカリ性の飼料は、焼成火成岩微粉末を石英長石の微粉末としている。さらに、本発明の請求項７の動物用のアルカリ性の飼料は、焼成火成岩微粉末を石英長石である流紋岩の微粉末としている。
【発明の効果】
【００１２】
本発明の飼料は、水に接触してアルカリ性を示し、動物の体内で胃酸を中和する働きがある。このため、動物に飼料として与えて、動物の胃酸過多を防止し、あるいは予防できる特徴がある。この特徴は、本発明の飼料が、添加する天然石粉末に、酸化雰囲気で焼成されたカルシウム含有火成岩の微粉末である焼成火成岩微粉末を使用するからである。酸化雰囲気で焼成されたカルシウム含有火成岩は、水に接触してアルカリ性を示す。それは、酸化焼成されることによって、火成岩に含まれるカルシウムが水酸化カルシウムとなり、水に接触して水酸化カルシウムとしてアルカリ性を示す状態になるからである。図１は、酸化雰囲気において、１０００℃で５時間、流紋岩である火成岩を焼成して、平均粒径を１０μｍに粉砕した焼成火成岩微粉末と、火成岩粒を４００ミリリットルの蒸留水に添加して、水のｐＨを測定した結果を示す図である。この図は、焼成火成岩微粉末と火成岩粒を４００ミリリットルの蒸留水に添加して、添加量（％）に対するｐＨを測定したものである。この図は、横軸を水に対する火成岩微粉末の添加量、縦軸は水のｐＨを示している。この図に示すように、焼成火成岩微粉末を添加した水は、ｐＨが急激に増加して強アルカリ性を示すのに対し、火成岩粒を添加した水はｐＨがほぼ中性を示す。この図に示すように、焼成火成岩微粉末は水に接触してアルカリ性を示すことから、これを添加した飼料が餌として食されると、消化液に溶解することによりアルカリ性を示し、胃などの消化管内部を中和するため、胃酸を中和し消化機能を補助することができる。
【００１３】
また、本発明の飼料は、天然石粉末の添加量を少なくして遠赤外線による優れた効果を実現できる特徴も実現できる。それは、遠赤外線を放射する天然石粉末に、焼成された火成岩の微粉末である焼成火成岩微粉末を使用するからである。火成岩は、焼成されると硬度が高くなって簡単に微粉砕できる状態となるので、簡単に小さい粒子に微粉砕できる。このため、焼成火成岩微粉末は、簡単に小さい粒径に微粉砕して、重量に対する遠赤外線の放射エネルギーを大きくできることから、添加量を少なくして遠赤外線の放射エネルギーを大きくできる。
【００１４】
さらに、本発明の動物用の飼料は、殺菌処理することなく飼料に無菌の状態で添加できる。それは、アルカリ性を実現し、さらに簡単に微粉砕できるように高温に焼成する状態で、火成岩を無菌状態に殺菌できるからである。
【発明を実施するための最良の形態】
【００１５】
以下、本発明の実施例を図面に基づいて説明する。ただし、以下に示す実施例は、本発明の技術思想を具体化するための動物用のアルカリ性の飼料を例示するものであって、本発明は動物用のアルカリ性の飼料を以下のものに特定しない。さらに、この明細書は、特許請求の範囲に示される部材を、実施例の部材に特定するものでは決してない。
【００１６】
本発明のアルカリ性の飼料は、ペット、牛等の家畜、鶏などの家禽、養殖魚介類などの動物に与える飼料であって、各々の動物に最適な餌料に遠赤外線を放射する天然石粉末を添加している。餌料は動物に最適な材料が選択される。天然石粉末は、カルシウムを含む火成岩を酸化雰囲気で焼成した後、微粉砕した焼成火成岩微粉末である。カルシウムを含む火成岩には石英長石が使用される。焼成火成岩微粉末には、飼料をアルカリ性とするために、カルシウムの含有量を０．５重量％以上、好ましくは１重量％以上とする火成岩を使用する。この火成岩には、石英長石である流紋岩が適している。流紋岩は、以下の成分を含んでいる。
ＳｉＯ２…………７０重量％
Ａｌ２Ｏ３……… １７重量％
Ｆｅ２Ｏ３………… ２重量％
ＣａＯ……… ２．５重量％
Ｋ２Ｏ……………３重量％
Ｎａ２Ｏ………２．５重量％
【００１７】
流紋岩からなる火成岩からなる焼成火成岩微粉末は、水に接触して強いアルカリ性を示す。ただし、本発明のアルカリ性の飼料は、焼成火成岩微粉末とする火成岩を石英長石の一種である流紋岩には特定せず、また石英長石にも特定しない。焼成火成岩微粉末とする火成岩には、カルシウムを含有して酸化雰囲気で焼成してアルカリ性を示し、かつ遠赤外線の放射エネルギーの大きい、たとえば黒体に対する遠赤外線の相対的な放射エネルギーを８０％以上とする全ての火成岩を使用できる。
【００１８】
焼成された火成岩は、たとえば平均粒径を５０μｍ以下、好ましくは１０μｍ以下、さらに好ましくは５μｍ以下に微粉砕して焼成火成岩微粉末とする。焼成火成岩微粉末は、小さくして重量に対する表面積を大きくできる。遠赤外線の放射エネルギーは、焼成火成岩微粉末の表面積に比例する。したがって、飼料に添加される焼成火成岩微粉末は、平均粒径を小さくして添加率に対する遠赤外線の放射エネルギーを強くできる。焼成した火成岩は、焼成によって硬くなり、ガラスのように割れやすくなる。このため、焼成した火成岩は、簡単に能率よく微細な粒子に微粉砕できる。ただ、平均粒径を１μｍ以下に微粉砕するには手間がかかるので、好ましくは焼成火成岩微粉末の平均粒径を１μｍ以上とする。
【００１９】
焼成火成岩微粉末の添加量は、飼料を与える動物により最適値に設定されるが、たとえば、０．００３重量％以上、好ましくは０．０１重量％以上とする。さらに、焼成火成岩微粉末の添加量が多すぎると動物が好んで食べ難くなるので、添加量はたとえば５重量％以下、好ましくは１重量％以下とする。さらに、焼成火成岩微粉末の添加量は、平均粒径により最適値に調整される。平均粒径の小さい焼成火成岩微粉末は添加量を少なくして遠赤外線の放射エネルギーを大きくできる。したがって、平均粒径を５μｍ以下とする焼成火成岩微粉末は、その添加量を、たとえば０．５重量％以下として、遠赤外線の放射エネルギーを大きくして、遠赤外線による好ましい効果を動物に与えることができる。
【実施例】
【００２０】
［実施例１、及び比較例］
餌料に焼成火成岩微粉末を添加している本発明の飼料（実施例１）と、焼成火成岩微粉末を添加しない餌料のみからなる飼料（比較例）をマウスに与えて、マウスの食欲を測定する。
実施例１の飼料は０．０１重量％の焼成火成岩微粉末を添加している。焼成火成岩微粉末は、火成岩である流紋岩を、酸化雰囲気において、１０００℃で５時間焼成し、これを平均粒径が５μｍとなるように微粉砕したものとする。餌料にはオリエンタル酵母社製の粉末試料ＭＦを使用する。マウスには日本チャールズリバー社製ＳＰＦ／ＶＡＦマウス、系統ＣＤ１（ＩＣＲ）５週のオスマウス３０匹を使用する。３０匹のマウスに、実施例１と比較例の飼料を与えて体重の増加を測定する。
【００２１】
マウスに実施例１と比較例の飼料を随時節食させて、１００日後に消費されるマウス一匹当たりの積算消費餌の量を（１匹当たりのｇ数）を図２に示している。この図から明らかに、焼成火成岩微粉末を添加している実施例１の飼料は、比較例の飼料に対して餌の消費量が増加する。これは、添加している焼成火成岩微粉末がマウスの食欲を促進することを示している。
【００２２】
さらに、１００日経過後において、実施例１と比較例の飼料を与えたマウスの体重に対する飼料摂食重量を測定すると図３に示すようになる。この図からも、焼成火成岩微粉末を添加している実施例１の飼料は、比較例の飼料に対して、マウスの体重に対する餌の消費量が大きく、添加している焼成火成岩微粉末がマウスの食欲を促進することを示している。
【００２３】
［実施例２、及び比較例２］
飼料に添加する焼成火成岩微粉末の平均粒径を２０μｍとし、添加量を０．０１重量％から０．１重量％とする以外、実施例１と同様にして実施例２の飼料とする。この実施例２の飼料と、焼成火成岩微粉末を添加しない比較例の飼料を与えて、飼料によるマウスの健康状態の変化を測定する。マウスの健康状態は、マウスの運動状態から判定する。マウスの運動状態は、実施例２と比較例の飼料を、実施例１の飼料を与えたのと同じマウスに１００日間与えて、マウスの運動量を測定する。実施例１と比較例の飼料を与えたマウスの運動量を図４に示す。この図から、実施例２の飼料を与えたマウスは、比較例の飼料を与えたマウスより元気になって、運動能力が向上することがわかる。ただし、図４の運動量は、実施例２の飼料を与えた１０匹のマウスと、比較例の飼料を与えた同じ１０匹のマウスを、高さ２０ｃｍ、直径５０ｃｍの柵の中央に直径方向にテープで直線を引き、この直線をマウスが通過した回数と、柵を上って頭を出した数をカウントしたものである。
実施例２の飼料は、わずかに０．１重量％の焼成火成岩微粉末を添加するものであるが、この飼料を与えたマウスは、焼成火成岩微粉末を添加しない比較例の飼料を与えたマウスよりも元気に運動する健康な状態となることがわかる。
【００２４】
本発明の飼料は、焼成火成岩微粉末を添加している。焼成火成岩微粉末は、飼料として動物の体内にあって、体温に加温されて体内に遠赤外線を放射する。体内に放射される遠赤外線は癌の抑制作用がある。図５と図６は、マウスの培養癌細胞の増殖が照射される遠赤外線で抑制されることを示すグラフである。図５は舌癌、図６は歯肉癌細胞の変化を示している。さらに、図７は肝臓癌細胞、図８は肺癌細胞の変化を示している。これ等の図から、有意に細胞増殖が抑制されていることがわかる。照射される遠赤外線が癌細胞増殖を抑制するのは、細胞の増殖サイクルのＧ２アレストによる阻害のためである。また、細胞の遊走（転移性）も抑制される。このように、遠赤外線が癌細胞の増殖を抑制することから、これを添加している飼料は体内で動物に遠赤外線を放射して、癌細胞の増殖を抑制する。
【００２５】
さらに、本発明の実施例の飼料を餌として食すると、消化管内部から遠赤外線を効率よく照射することにより、自律神経のバランスを交感神経昂進に傾け、免疫機能に重要な顆粒球を増加させる効果がある。図９と図１０は、焼成火成岩を用いて遠赤外線を照射、あるいは非照射の状態で、種々の癌細胞を移植した免疫不全マウスの血中のカテコールアミンであるアドレナリン（図９）と、ノルアドレナリン量（図１０）を測定したものである。癌細胞を移植したほとんどのマウスでは、血中のカテコールアミン量は増加する傾向にある。遠赤外線非照射のマウスでは、むしろ抑制される傾向にあった。このことはストレスを付加されているマウスに対しては、遠赤外線照射は交感神経を昂進させるように働き、遠赤外線非照射のマウスでは、むしろ副交感神経を活性化するように働くものと考えられる。
図１１と図１２は、カテコールアミンが上昇しているマウスの血液中のリンパ球と顆粒球の比率を比較したものである。図１１は遠赤外線を照射しない例、図１２は遠赤外線を照射する例であって、これらの図から、明らかに遠赤外線を照射すると顆粒球の比率が上昇していることが明白となる。このことは、遠赤外線が照射されて顆粒球性の免疫が活性化されていることを示す。
【産業上の利用可能性】
【００２６】
本発明のアルカリ性の飼料は、ペットや牛、あるいは鶏や養殖魚等の動物用に使用されて、これを食べた動物の体内に遠赤外線を放射し、また体内の胃酸を中和して健康状態を改善できる。
【図面の簡単な説明】
【００２７】
【図１】焼成火成岩微粉末と火成岩粒を添加した水のｐＨを示すグラフである。
【図２】実施例１と比較例の飼料を与えたマウス一匹当たりの積算消費餌の量を示すグラフである。
【図３】実施例１と比較例の飼料を与えたマウスの体重に対する飼料摂食重量を示すグラフである。
【図４】実施例２と比較例の飼料を与えたマウスの運動量を示すグラフである。
【図５】マウスの舌癌細胞の増殖が遠赤外線で抑制されることを示すグラフである。
【図６】マウスの歯肉癌細胞の増殖が遠赤外線で抑制されることを示すグラフである。
【図７】マウスの肝臓癌細胞の増殖が遠赤外線で抑制されることを示すグラフである。
【図８】マウスの肺癌細胞の増殖が遠赤外線で抑制されることを示すグラフである。
【図９】焼成火成岩を用いて遠赤外線を照射あるいは非照射の状態で種々の癌細胞を移植した免疫不全マウスの血中のカテコールアミンであるアドレナリン量を示すグラフである。
【図１０】焼成火成岩を用いて遠赤外線を照射あるいは非照射の状態で種々の癌細胞を移植した免疫不全マウスの血中のカテコールアミンであるノルアドレナリン量を示すグラフである。
【図１１】遠赤外線を照射しないマウスの血液中のリンパ球と顆粒球の比率を比較するグラフである。
【図１２】遠赤外線を照射するマウスの血液中のリンパ球と顆粒球の比率を比較するグラフである。
【図１】
0005038044.tif 000002
【図２】
0005038044.tif 000003
【図３】
0005038044.tif 000004
【図４】
0005038044.tif 000005
【図５】
0005038044.tif 000006
【図６】
0005038044.tif 000007
【図７】
0005038044.tif 000008
【図８】
0005038044.tif 000009
【図９】
0005038044.tif 000010
【図１０】
0005038044.tif 000011
【図１１】
0005038044.tif 000012
【図１２】
0005038044.tif 000013